(57)【要約】【課題】従来技術の欠点を、衝撃抵抗が向上した、特に腕時計の中に容易に一体化することができる戻止脱進機を提供することによって克服すること。【解決手段】本発明は、歯３が取り付けられたガンギ車２と、テンプ輪であって、そのテン真１６に、インパルス・アンクル石５を含む、円形周囲部２４にノッチ２２が作られる少なくとも１つのローラ４が固定されるテンプ輪と、ピン８に蝶番で取り付けられたレバーの形態のブロック部材６とを含み、前記ブロック部材が、ガンギ車をロックする手段８０と、制御フィンガ・ピース１１と、前記ローラのノッチと協働するように構成された突起部２１で終端する従動子８０とを担持する時計用戻止脱進機であって、インパルス・アンクル石５がガンギ車の歯３から偶発的にロック解除される時に、ガンギ車の歯と協働し、ガンギ車をロックするように構成された安全フィンガ・ピース９５を前記ローラ４がさらに含むことを特徴とする脱進機に関する。【選択図】図１
2006284582.tif 000002
【特許請求の範囲】
【請求項１】
歯（３）が取り付けられたガンギ車（２）と、インパルス・アンクル石（５）を含む、円形周囲部（２４）にノッチ（２２）が作られるローラ（４）がテン真（１６）に固定されるテンプ輪と、ピン（８）に取り付けられたレバーの形態のブロック部材（１６）とを含み、前記ブロック部材が、前記ガンギ車をロックする手段（８０）と、制御フィンガ・ピース（１１）と、前記ローラの前記ノッチと協働するように構成された突起部で終端する従動子（８０）とを担持する、時計用戻止脱進機であって、前記インパルス・アンクル石（５）が前記ガンギ車の前記歯（３）から偶発的にロック解除される時に、前記ガンギ車の前記歯と協働し、前記ガンギ車をロックするように構成された安全フィンガ・ピース（９５）を前記ローラがさらに含むことを特徴とする脱進機。
【請求項２】
安全フィンガ・ピースが、前記インパルス・アンクル石から４０°以下の角距離αに配置されることを特徴とする請求項１に記載の戻止脱進機。
【請求項３】
前記安全フィンガ・ピースが、前記インパルス・アンクル石から、３０から４０°の間に含まれる、好ましくは３５°程度の角距離αに配置されることを特徴とする請求項１に記載の戻止脱進機。
【請求項４】
前記安全フィンガ・ピース（９５）が前記ローラ（４）と一体に作られることを特徴とする請求項１に記載の戻止脱進機。
【請求項５】
前記安全フィンガ・ピース（９５）が前記ローラ（４）に付け加えられることを特徴とする請求項１に記載の戻止脱進機。
【発明の詳細な説明】
【技術分野】
【０００１】
本発明は、歯が設けられたガンギ車と、インパルス・アンクル石を含む、円形周囲部にノッチが作られる少なくとも１つのローラがテン真に固定されるテンプ輪と、ピンに取り付けられたレバーの形態のブロック部材とを備え、ブロック部材が、ガンギ車をロックする手段と、制御フィンガ・ピースと、前記少なくとも１つのローラのノッチと協働するように構成された突起部で終端する従動子とを担持する、時計用戻止脱進機に関する。
【背景技術】
【０００２】
上記の記述に応える戻止脱進機が、スイス特許出願第ＣＨ６４１／７５号で既に提案されている。戻止脱進機を備える時計は、その精確さで高く評価されている。しかしその戻止脱進機は、衝撃に極めて弱いという大きな欠点を有する。その結果、それらは腕時計には不適切であると見なされている。事実、時計が衝撃を受けて、インパルス・アンクル石がガンギ車からインパルスを受ける時、その衝撃は、ローラの逆回転を引き起こし、ガンギ車をインパルス・アンクル石からロック解除し、インパルス・アンクル石が前記ガンギ車をロック解除する可能性があり、するとガンギ車が駆動歯車列と脱進機を自由に回転させ破損する可能性がある。
【特許文献１】スイス特許出願第ＣＨ６４１／７５号
【特許文献２】欧州特許出願第０３０２７９１０．３号
【特許文献３】欧州特許出願第０３０２７９２９．３号
【特許文献４】欧州特許出願第０３０２８８７７．３号
【発明の開示】
【発明が解決しようとする課題】
【０００３】
本発明の目的は、上述の従来技術の欠点を、衝撃抵抗が向上した、特に腕時計の中に容易に一体化することができる戻止脱進機を提供することによって克服することである。
【課題を解決するための手段】
【０００４】
本発明は、歯が設けられたガンギ車と、テンプ輪であって、そのテン真に、インパルス・アンクル石を含む、円形周囲部にノッチが作られる少なくとも１つのローラが固定されるテンプ輪と、ピンに蝶番で取り付けられたレバーの形態のブロック部材とを備え、ブロック部材が、ガンギ車をロックする手段と、制御フィンガ・ピースと、前記ローラのノッチと協働するように構成された突起部で終端する従動子とを担持する、時計用戻止脱進機であって、インパルス・アンクル石が偶発的にガンギ車の歯からロック解除される時、ガンギ車の歯と協働し、ガンギ車をロックするように構成された安全フィンガ・ピースを前記ローラがさらに含むことを特徴とする脱進機に関する。
【０００５】
これらの特徴によって、インパルス・アンクル石が、インパルスの瞬間の衝撃に続いてガンギ車からロック解除される場合、この安全フィンガ・ピースがガンギ車の経路に挿入されて、その運行を阻止する。前記ガンギ車のどのような偶発的なロック解除もこのようにして防止され、したがって腕時計の駆動機構と脱進機構を破損する危険が防止される。
【０００６】
本発明の有利な実施態様では、安全フィンガ・ピースは、インパルス・アンクル石から４０°以下、好ましくは３０°と４０°の間、より好ましくは３５°程度からなる角距離αに配置される。インパルス・アンクル石と安全フィンガ・ピースの角度間隔が小さすぎ、または大きすぎる場合、ガンギ車歯が遮断されなくなることが容易に理解されよう。
【発明を実施するための最良の形態】
【０００７】
本発明を、例としてここに掲げるいくつかの実施形態によって次に以下に詳しく説明するが、その実施形態は、添付図面によって示す。
【０００８】
添付図面は、本発明の課題を形成する戻止脱進機を示す。この戻止脱進機は、歯３が設けられたガンギ車２を含む。これはここでは示さないが、ガンギ車２は、香箱から駆動力を受け取る時計の歯車列によって駆動される。ローラ１は、図面で示さないテンプ輪のテン真１６に取り付けられる。これらのローラ１は、インパルス・アンクル石５が取り付けられた大きなローラ４と、立ち上がりエッジ２５を有するノッチ２２が作られる円形周囲部２４が設けられた小さなローラ２３とを含む。第１作動フィンガ・ピース１４が大きなローラ４上に載る。図面は、このフィンガ・ピース１４が、ローラ４とローラ２３の間に挟まれたディスク７５から出ているのを示す。この脱進機は、ピン８に取り付けられたレバーの形態のブロック部材６をさらに含む。ブロック部材６は、ピン８によって固定して連結された第１部品と第２部品を含む。図面が示すのは、第１部品が、ガンギ車２の歯３と協働するロック手段８０を含むこと、および第２部品が、第１フィンガ・ピース１４と協働するように配置された第２作動フィンガ・ピース１１と、安全ローラ２３に作られたノッチ２２の立ち上がりエッジ２５と協働するように配置された突出部２１で終端する従動子２０とを含むことである。
【０００９】
本発明の主たる特徴によれば、ローラの一方が安全フィンガ・ピース９５をさらに含み、これはガンギ車２の歯３と協働するように、またインパルス・アンクル石５が偶発的にガンギ車２の歯からロック解除される時にガンギ車２をロックするように配置される。ローラ１の中心１６を安全フィンガ・ピース９５に繋ぐ半径と、同じ中心をインパルス・アンクル石５の頂点を繋ぐ半径とは、３０°と４０°の間からなる角度αを形成して、ローラが偶発的に逆転する場合に、ガンギ車の歯に対する適切な遮断を保証する。
【００１０】
以上に掲げた記述から、戻止脱進機を作るのに必要な全ての構成要素が存在することが分かろう。この脱進機では、ローラが一方方向に回転する時、ガンギ車はロック解除されるが、ローラが他の方向に回転する時、ガンギ車はロックされたままとなる。したがって、ガンギ車が１角度ステップ分回転する振幅毎に一回しか、インパルスはテンプ輪に与えられないが、レバー脱進機では、同じガンギ車が振動毎に半ステップ分進む。これが戻止脱進機の利点の１つを構成するが、それは、ガンギ車の慣性によって空費されるエネルギーが、振動毎に一回ではなく、振幅毎に一度しか発生しないからである。
【００１１】
第１作動フィンガ・ピース１４と第２作動フィンガ・ピース１１はそれぞれ、大きなローラ４とブロック部材６に堅固に固定され、相互に協働するように配置されている。それによってローラ１が第１方向に回転する時、第１フィンガ・ピース１４が第２フィンガ・ピース１１を駆動して、ガンギ車２からロック手段８０をロック解除し、次いで従動子２０の突起部２１が、ノッチ２２の立ち上がりエッジ２５によって駆動されて、ロック手段をガンギ車で再係合させるようになり、またローラ１が第１方向の反対の第２方向に回転する時、第１フィンガ・ピース１４が第２フィンガ・ピース１１を駆動して、ロック手段８０をガンギ車２で係合された状態に保つ。
【００１２】
図で示す実施形態では、ロック手段８０は、相互の横に配置された第１アンクル石５０と、第２アンクル石５１とを有する。これらのアンクル石はそれぞれ、第１ロック面３４と第２ロック面３５を有する。これらのロック面は、相互に対して傾斜されてロック線３６を形成する。以下で分かるように、この脱進機の動作段階の詳しい分析に従って、従動子２０がノッチ２２の立ち上がりエッジ２５によって駆動され、ローラ１が第１方向に回転する時、第１面３４がガンギ車２の歯６２を遮断する。この後、歯６２がロック線３５上に来る。次いで、第１フィンガ・ピース１４が第２フィンガ・ピース１１を駆動して、ローラ１が第２方向に回転する時、第２面３５が同じ歯６２によってよじ登られる。最後に、第２フィンガ・ピースが第１フィンガ・ピースから離れる時、歯６２がロック線３５に戻る。
【００１３】
テンプ輪の完全な１振幅を図２から１３に示す。動作の様々な段階を次に分析する。
【００１４】
図２では、ローラ４、２３が矢印ａの方向に回転する。大きなローラ４の上に載る第１フィンガ・ピース１４が、ブロック部材６の第２フィンガ・ピース１１と接触する。ロック・アンクル石５０とロック・アンクル石５１は、ロックされたガンギ車２の歯６０で完全に係合される。これが、ローラとブロック部材の接触の始まりであり、ロック解除の始まりである。
【００１５】
ロック解除の終了を図３に示す。ローラ４とローラ２３が矢印ａの方向に未だ回転している時、フィンガ・ピース１４は、フィンガ・ピース１１を駆動するとともに、ブロック部材６を矢印ｆの方向に傾け、それがロック・アンクル石５０、５１を歯６０からロック解除し、同時にガンギ車２に対して矢印ｇの方向に僅かに後ろ向きのムーブメントを与える。従動子２０の突起部２１が、小さなローラ２３のノッチに進入し始める。
【００１６】
インパルスの開始を図４に示す。ロック・アンクル石５０、５１から解放されたガンギ車２は、香箱が歯車列に伝える駆動力に動かされて、矢印ｅの方向に回転し始める。ガンギ車２の歯６１が大きなローラ４に取り付けられたインパルス・アンクル石５と出会い、ローラ１を矢印ａの方向に送り戻す。
【００１７】
図５は、進行中のインパルスを示す。ローラ１とガンギ車２は、引き続きそれぞれ矢印ａと矢印ｅの方向に回転する。ローラとブロック部材の接触の終わりに到達するが否や、フィンガ・ピース１４は、歯１１の先端の上を通過しようとする。矢印ｆの方向に傾いていたブロック部材６は、他の方向（矢印ｈ）に傾こうとしている。
【００１８】
図６では、ガンギ車２は引き続き矢印ｅの方向に回転し、従動子２０の突起部２１が小さなローラ２３の立ち上がりエッジ２５と接触する瞬間まで、引き続きローラ１を、歯６１のインパルス・アンクル石５への作用によって駆動する。それから以降ブロック部材６は、矢印ｈの方向に駆動される。
【００１９】
図７は、アンクル石５に対する歯６１のインパルスの終了を示す。この状況で、ローラ１の矢印ａの方向への回転に続いて、突起部２１が、小さなローラ２３に作られたノッチ２２の立ち上がりエッジ２５の上を通過し、次いで安全ローラの円形周囲部２４に当接する。ブロック部材６は、矢印ｈの方向に引き続き駆動され、その回帰運行の終点に到達する。矢印ｅの方向に駆動される歯６２が、ロック手段８０によって遮断されようとしているのが分かるであろう。
【００２０】
図８はロック位置を示す。歯６２は、第１ロック・アンクル石５０の第１ロック面３４に対して当接する。
【００２１】
図９は、ここでは第１ロック・アンクル石５０と第２ロック・アンクル石５１から形成されるロック手段に対する、歯６２の完全なロックを示す。ガンギ車２の運動エネルギーによって突き出された歯６２の先端が、ロック線３６に収容されるが、その線は第１ロック・アンクル石５０と第２ロック・アンクル石５１にそれぞれ属する第１ロック面３４と第２ロック面３５の傾斜によって形成される。これは、時計製造者によく知られている引寄効果である。歯６２はこのようにロック線３６に収容され、第２ロック面３５が歯の前に立ち、歯がその経路を進むのを防止する。図９も、従動子２０の突起部２１が、小さなローラ２３の円形周囲部２４から解放されて、テンプ輪が完全に自由にその補足的円弧を続け、また矢印ａによって示す方向に沿った第１振動を終わらすことができるようにすることを示す。この瞬間から以降、この脱進機が、時計に影響を及ぼす可能性のある衝撃に対して抵抗力があることにも留意されたい。実際、衝撃が、突起部２１が小さなローラ２３の周囲部２４に対して当接する可能性を引き起こしても、アンクル石５０とアンクル石５１がロック解除されないが、それは歯６２が、上述の引寄のために直ちにロック線３６に戻るからである。一旦第１振動が完了すると、テンプ輪はその方向を逆転し、矢印ｂの方向に回転する。
【００２２】
図１０は、逆の補足的円弧の終点での、即ち第２振動の終点に向かった脱進機を示す。ローラ１は矢印ｂの方向に回転する。図は、テーブル・ローラ４の上に載る第２フィンガ・ピース１４が、ブロック部材６に取り付けられた第１フィンガ・ピース１１と接触する瞬間の状況を示す。後者は依然不動であり、ガンギ車２の歯６２はアンクル石５０とアンクル石５１のロック線３６に未だ収容される。
【００２３】
図１１では、ローラ１はそれらの運行を矢印ｂの方向に継続し、第２フィンガ・ピース１４は、第１フィンガ・ピース１１の終点で作られる斜面９０の上をスライドし、それがブロック部材６の矢印ｈの方向への回転を引き起こす。その結果、ガンギ車２の歯６２が、第２ロック・アンクル石５１の第２ロック面３５をよじ登り、それがガンギ車２を、ここで矢印ｇによって示す僅かに後ろ向きの動きに駆動する。
【００２４】
図１２では、第１フィンガ・ピース１１と第２フィンガ・ピース１４は分離しており、ローラ１は依然矢印ｂの方向で回転している。これからは、矢印ｅの方向に回転しているガンギ車２の運動エネルギーによって突き出された歯６２の先端が、アンクル石５１の第２ロック面３５を再度降りて、図１３に示すようにロック線３６に収容される。これは、図９を参照して述べたのと同じ引寄効果であるが、アンクル石５１の面３５に作用する。この効果は、「反引寄」と呼ぶことができる。
【００２５】
図１３に示す状況からは、テンプ輪、それとともにローラ１が、矢印ｂの方向にそれらの補足的円弧を終了し、次いで方向を変えて（矢印ａ）、新たな振幅を再開し、第２振動は完了する。
【００２６】
図１４から１７は、衝撃が時計に掛けられた場合の、図１に示す脱進機の動作段階を説明する平面図である。
【００２７】
図１４は図４と同一であり、インパルスの開始を示す。ガンギ車２は、アンクル石５０とアンクル石５１から解放され、香箱が歯車列に伝える駆動力によって動かされて、矢印ｅの方向に回転し始める。ガンギ車２の歯６１は、大きなローラ４に取り付けられたインパルス・アンクル石５と出会い、ローラ１を矢印ａの方向に送り戻す。
【００２８】
まさにこの瞬間に、ローラ１の回転方向を逆転させて、それらを反対方向ｂに回転させる効果を有する衝撃が時計に掛かると仮定する。これは図１５に示す状況をもたらすが、そこではインパルス・アンクル石５の先端が、歯６１の先端の頂部の上を通過して、ガンギ車を少しの間矢印ｇの方向に後ろ向けに押しやる。
【００２９】
図１６が示すのは、図１５に示す状況から、歯車列（矢印ｅ）によって通常駆動される方向にガンギ車２が回転する状態を保つものは、もはや何もないということであり、図１６が明確に示すのは、安全フィンガ・ピース９５が存在しない場合、ガンギ車２は自由に回転し続けて、脱進機と駆動機構に重大な破損を引き起こすことになるということである。これに対して歯６１の先端は、安全フィンガ・ピース９５に当たり、これがローラ１の回転方向を逆転させ、その結果矢印ａで示す適切な方向を再構築する。
【００３０】
図１７は、歯６１が安全フィンガ・ピース９５を離れ、それによって歯６３が新たなインパルスをアンクル石５に与えるようになる状況を示す。
【００３１】
安全フィンガ・ピース９５は、インパルス・アンクル石５と同じ高さに位置し、それは大きなローラ４の高さであることができることに留意されたい。安全フィンガ・ピース９５は、ローラ４と一体に作製する、またはインパルス・アンクル石５のような固定された穴石の形態ローラに付け加えることができる。
【００３２】
本発明を戻止脱進機の好ましい実施形態に関連して述べたこと、また添付の特許請求の範囲によって規定される本発明の範囲から逸脱せずに、本発明を任意の他のタイプの戻止脱進機に適用できることが明らかである。特に、本発明を欧州特許出願第０３０２７９１０．３号、０３０２７９２９．３号、０３０２８８７７．３号、および本出願人の名前で同日に出願された「時計用戻止脱進機」という名称の出願で開示される戻止脱進機に適用することができ、それらの出願を参照により本明細書の一部とする。
【図面の簡単な説明】
【００３３】
【図１】本発明による脱進機の一実施形態の斜視図である。
【図２−１３】図１に示す脱進機の動作段階を説明する平面図であり、これらの段階は、通常動作のテンプ輪の１振幅の第１振動と第２振動を網羅する。
【図１４−１７】時計に衝撃が掛けられた場合の、図１に示す脱進機の動作段階を説明する平面図である。
【符号の説明】
【００３４】
１、４、２３  ローラ、２  ガンギ車、３、６０、６１、６２  歯、５、５０、５１  インパルス・アンクル石、６  ブロック部材、８  ピン、１１、１４  フィンガ・ピース、１６  テンプ輪のテン真、２０  従動子、２１  突起部、２２  ノッチ、２４  円形周囲部、２５  立ち上がりエッジ、３４、３５  ロック面、３６  ロック線
【図１】
2006284582.tif 000003
【図２】
2006284582.tif 000004
【図３】
2006284582.tif 000005
【図４】
2006284582.tif 000006
【図５】
2006284582.tif 000007
【図６】
2006284582.tif 000008
【図７】
2006284582.tif 000009
【図８】
2006284582.tif 000010
【図９】
2006284582.tif 000011
【図１０】
2006284582.tif 000012
【図１１】
2006284582.tif 000013
【図１２】
2006284582.tif 000014
【図１３】
2006284582.tif 000015
【図１４】
2006284582.tif 000016
【図１５】
2006284582.tif 000017
【図１６】
2006284582.tif 000018
【図１７】
2006284582.tif 000019